【手続補正書】
【提出日】平成21年3月18日(2009.3.18)
【手続補正１】
【補正対象書類名】特許請求の範囲
【補正対象項目名】全文
【補正方法】変更
【補正の内容】
【特許請求の範囲】
【請求項１】
部分的なあるいは不完全な燃焼モードで運転されるＦＣＣ工程時のＮＯxおよびガス相還元窒素種の含量を低減する組成物であって、前記組成物が（１）（ｉ）２〜７．１オングストロームの範囲の細孔寸法および（ｉｉ）５００未満のＡｌ2Ｏ3に対するＳｉＯ2のモル比を有するゼオライト成分と、（２）白金、パラジウム、ロジウム、イリジウム、オスミウム、ルテニウム、レニウムおよびこれらの混合物から選択される少なくとも１つの貴金属を含んでなる、組成物。
【請求項２】
ＮＯx低減用組成物のゼオライト成分が３．５〜６．５オングストロームの範囲の細孔寸法を有する、請求項１に記載の組成物。
【請求項３】
ゼオライト成分がＺＳＭ−１１、ベータ、ＭＣＭ−４９、モルデナイト、ＭＣＭ−５６、ゼオライト−Ｌ、ゼオライトロー、エリオナイト、シャバザイト、クリノプチロライト、ＭＣＭ−２２、ＭＣＭ−３５、ＭＣＭ−６１、オフレタイト、Ａ、ＺＳＭ−１２、ＺＳＭ−２３、ＺＳＭ−１８、ＺＳＭ−２２、ＺＳＭ−５７、ＺＳＭ−６１、ＺＫ−５、ＮａＪ、Ｎｕ−８７、Ｃｉｔ−１、ＳＳＺ−３５、ＳＳＺ−４８、ＳＳＺ−４４、ＳＳＺ−２３、ダキアルダイト、メルリノイト、ロブダライト、レビン、ローモンタイト、エピスチルバイト、グメリナイト、ジスモンディン、カンクリナイト、ブリューステライト、スチルバイト、ポーリンジャイト、グースクリーカイト、ナトロライト、オメガ、フェリエライトおよびこれらの混合物から選択される、請求項１に記載の組成物。
【請求項４】
ゼオライト成分がフェリエライト、ベータ、ＭＣＭ−４９、モルデナイト、ＭＣＭ−５６、ゼオライトロー、エリオナイト、シャバザイト、クリノプチロライト、ＭＣＭ−２２、オフレタイト、Ａ、ＺＳＭ−１２、ＺＳＭ−２３、オメガおよびこれらの混合物から選択される、請求項３に記載の組成物。
【請求項５】
ゼオライト成分がフェリエライトである、請求項４に記載の組成物。
【請求項６】
ＮＯx低減用組成物が別個の粒子状添加物組成物である、請求項１に記載の組成物。
【請求項７】
粒子状ＮＯx低減用組成物が４５μｍより上、好ましくは５５〜１５０μｍの範囲の平均粒子寸法を有する、請求項６に記載の組成物。
【請求項８】
ＮＯx低減用組成物中に存在するゼオライト成分の量が組成物の少なくとも１０重量パーセント、好ましくは１０〜８５重量パーセント、好ましくは少なくとも３０重量パーセント、好ましくは３０〜８０重量パーセント、好ましくは少なくとも４０重量パーセント、好ましくは４０〜７５重量パーセントである、請求項６に記載の組成物。
【請求項９】
ゼオライト成分が水素、アンモニウム、アルカリ金属およびこれらの組み合わせ物から選択されるカチオンにより交換される、請求項１に記載の組成物。
【請求項１０】
ＮＯx低減用組成物が無機バインダーを更に含んでなる、請求項６に記載の組成物。
【請求項１１】
無機バインダーがシリカ、アルミナ、シリカ−アルミナおよびこれらの混合物からなる群から選択される、請求項１０に記載の組成物。
【請求項１２】
無機バインダーがアルミナ、好ましくは酸あるいは塩基で解膠されたアルミナ、好ましくはアルミニウムクロロヒドロールである、請求項１１に記載の組成物。
【請求項１３】
粒子状ＮＯx低減用組成物中に存在する無機バインダーの量が組成物の５〜５０重量パーセント、好ましくは１０〜３０重量パーセント、好ましくは１５〜２５重量パーセントの範囲にある、請求項１０に記載の組成物。
【請求項１４】
粒子状ＮＯx低減用組成物が更なるゼオライトを更に含んでなる、請求項６に記載の組成物。
【請求項１５】
更なるゼオライトがＺＳＭ−５である、請求項１４に記載の組成物。
【請求項１６】
更なるゼオライト成分が組成物の１〜８０重量パーセントの範囲、好ましくは１０〜７０重量パーセントの範囲の量で存在する、請求項１４に記載の組成物。
【請求項１７】
ＮＯx低減用組成物がアルミナ、シリカ、シリカ−アルミナ、チタニア、ジルコニア、イットリア、ランタナ、セリア、ネオジミア、サマリア、ユーロピア、ガドリニア、プラセオジミアおよびこれらの混合物から選択されるマトリックス材料を更に含んでなる、請求項６に記載の組成物。
【請求項１８】
マトリックス材料が組成物の７０重量パーセント未満の量で存在する、請求項１７に記載の組成物。
【請求項１９】
ゼオライト成分が少なくとも１つの安定化金属を更に含んでなる、請求項１に記載の組成物。
【請求項２０】
安定化金属が周期率表の１Ｂ族、２Ａ族、３Ｂ族、４Ｂ族、５Ｂ族、６Ｂ族、７Ｂ族、２Ｂ族、３Ａ族、４Ａ族、５Ａ族、ランタナイド系、ニッケル、鉄、コバルトおよびこれらの混合物から選択される金属である、請求項１９に記載の組成物。
【請求項２１】
安定化金属が周期率表の１Ｂ族、３Ｂ族、２Ａ族、２Ｂ族、３Ａ族、ランタナイド系、鉄およびこれらの混合物からなる群から選択される、請求項２０に記載の組成物。
【請求項２２】
安定化金属がランタン、アルミニウム、マグネシウム、亜鉛、鉄、銅およびこれらの混合物から選択される、請求項２１に記載の組成物。
【請求項２３】
安定化金属がゼオライト成分の細孔の中に組み込まれる、請求項１９に記載の組成物。
【請求項２４】
ＮＯx低減用組成物が分解触媒と一体の成分である、請求項１に記載の組成物。
【請求項２５】
貴金属がロジウム、イリジウム、オスミウム、ルテニウム、レニウムおよびこれらの混合物から選択される、請求項１に記載の組成物。
【請求項２６】
貴金属がロジウム、イリジウムおよびこれらの混合物からなる群から選択される、請求項２５に記載の組成物。
【請求項２７】
貴金属が金属として計算してＮＯx低減用組成物の少なくとも０．１パーツ・パー・ミリオン、好ましくは少なくとも０．５パーツ・パー・ミリオン、好ましくは少なくとも１．０パーツ・パー・ミリオンの量で存在する、請求項１に記載の組成物。
【請求項２８】
粒子状ＮＯx低減用組成物が５０未満、好ましくは２０未満、好ましくは１５未満のダビソン磨耗指数（ＤＩ）値を有する、請求項６に記載の組成物。
【請求項２９】
ＮＯx低減用組成物のゼオライト成分が２５０未満、好ましくは１００未満のＡｌ2Ｏ3に対するＳｉＯ2のモル比を有する、請求項１に記載の組成物。
【請求項３０】
ＮＯx低減用組成物がＦＣＣ触媒のインベントリの少なくとも０．０１重量パーセント、好ましくは０．０１〜５０重量パーセントの範囲の量で存在する、請求項６に記載の組成物。
【請求項３１】
ＮＯx低減用組成物がＦＣＣ触媒の少なくとも０．００５重量パーセント、好ましくは０．００５〜５０重量パーセントの範囲の量で存在する、請求項２４に記載の組成物。
【請求項３２】
ゼオライト成分がＦＣＣ触媒の少なくとも０．００５重量パーセントの量で存在する、請求項２４に記載の組成物。
【請求項３３】
炭化水素フィードストックを低分子量成分に流動接触分解する時に再生域から放出されるＮＯx排出物およびガス相還元窒素種の含量を低減する方法であって、
流動接触分解ユニット（ＦＣＣＵ）の再生域がＦＣＣ条件下に部分的なあるいは不完全な燃焼モードで運転される流動接触分解（ＦＣＣ）工程時に、（１）（ｉ）２〜７．１オングストロームの範囲の細孔寸法および（ｉｉ）５００未満のＡｌ2Ｏ3に対するＳｉＯ2のモル比を有するＮＯx低減用ゼオライトと、（２）白金、パラジウム、ロジウム、イリジウム、オスミウム、ルテニウム、レニウムおよびこれらの混合物から選択される少なくとも１つの貴金属を含んでなる、有効なガス相還元窒素種を低減する量の、ＮＯx低減用組成物の存在において、炭化水素フィードストックをＦＣＣ触媒の循環インベントリと接触させることを含んでなる、
方法。
【請求項３４】
ＦＣＣ分解触媒がＹ−タイプゼオライトを含んでなる、請求項３３に記載の方法。
【請求項３５】
低減用組成物が請求項１〜３２のいずれか１項に記載された組成物を含む、請求項３３に記載された方法。
【請求項３６】
前記接触段階から分解触媒を回収し、そして使用済の触媒を再生域中で処理して、前記触媒を再生することを更に含んでなる、請求項３３に記載の方法。
【請求項３７】
粒子状ＮＯx低減用組成物が個別の粒子状添加物として存在し、分解触媒および粒子状ＮＯx低減用組成物が、前記炭化水素フィードストックとの接触時に流動化される、請求項３３に記載の方法。
【請求項３８】
ＮＯx低減用組成物が個別の粒子状添加物として存在し、ＦＣＣ触媒のインベントリの少なくとも０．０１重量パーセント、好ましくは０．０１〜５０重量パーセントの範囲の量で存在する、請求項３３に記載の方法。
【請求項３９】
ＮＯx低減用組成物が分解触媒と一体の成分として、ＦＣＣ触媒の少なくとも０．００５重量パーセント、好ましくは０．００５〜５０重量パーセントの範囲の量で存在する、請求項３３に記載の方法。
【請求項４０】
ＮＯx低減用組成物が分解触媒と一体の成分として存在し、ゼオライト成分がＦＣＣ触媒の少なくとも０．００５重量パーセントの量で存在する、請求項３３に記載の方法。